(57)【特許請求の範囲】
【請求項１】
自装置に入力された入力音声信号を増幅して音声出力する増幅装置であって、
前記入力音声信号を所定時間遅延させて出力する信号遅延処理部と、前記信号遅延処理部から出力された信号を増幅するアンプ部と、前記アンプ部に電源を供給する電圧可変電源と、前記入力音声信号から前記入力音声信号の包絡線を算出する包絡線作成部と、前記包絡線作成部が作成した前記包絡線に基づいて前記電圧可変電源に電源電圧制御信号を出力して前記電圧可変電源の出力電圧を制御する電源電圧制御部とを備え、
前記電源電圧制御部は、前記電圧可変電源のスルーレートを記憶し、前記包絡線の傾きが正の場合に、前記電源電圧制御信号の傾きを前記包絡線の傾きまたは前記電圧可変電源のスルーレートのいずれか小さい方に設定して前記電源電圧制御信号を作成する電源電圧制御信号作成処理を行い、前記電源電圧制御信号を前記電圧可変電源へ出力し、
前記電源電圧制御部は、前記信号遅延処理部に向けてタイミング信号を出力し、前記信号遅延処理部は、前記タイミング信号に基づき前記遅延処理を行う、増幅装置。
【請求項２】
前記電源電圧制御部は、前記包絡線の傾きと前記電圧可変電源のスルーレートとを比較し、何れか小さい方を出力する比較処理部と、前記比較処理部の出力を基に前記電源電圧制御信号を作成する電源電圧制御信号作成部とを備え、
前記電源電圧制御信号作成部は、前記比較処理部が前記スルーレートの方を出力した場合、前記電源電圧制御信号の開始点から所定時間分の信号を削除することを特徴とする請求項１記載の増幅装置。
【請求項３】
前記電源電圧制御部は、前記信号遅延処理部が前記入力音声信号を遅延させる所定時間内に前記電源電圧制御信号作成処理を行い、前記所定時間後に前記電圧可変電源から前記アンプ部に電源を供給させる制御を行うことを特徴とする請求項１記載の増幅装置。
【請求項４】
自装置に入力された入力音声信号を増幅して音声出力する増幅装置であって、
前記入力音声信号を所定時間遅延させて出力する信号遅延処理部と、前記信号遅延処理部から出力された信号を増幅するアンプ部と、前記アンプ部に電源を供給する電圧可変電源と、前記入力音声信号から前記入力音声信号の包絡線を算出する包絡線作成部と、前記包絡線作成部が作成した前記包絡線に基づいて前記電圧可変電源に電源電圧制御信号を出力して前記電圧可変電源の出力電圧を制御する電源電圧制御部とを備え、
前記電源電圧制御部は、前記包絡線の信号レベルに応じてヘッドルームを設定し、設定したヘッドルームを前記包絡線の信号レベルに加算して前記電源電圧制御信号を作成し、前記電源電圧制御信号を前記電圧可変電源へ出力し、
前記電源電圧制御部は、前記信号遅延処理部に向けてタイミング信号を出力し、前記信号遅延処理部は、前記タイミング信号に基づき前記遅延処理を行う、増幅装置。
【請求項５】
前記包絡線作成部に前記入力音声信号が入力されてから前記入力音声信号の包絡線を前記包絡線作成部が算出し前記電源電圧制御部が算出したヘッドルームを前記包絡線の信号レベルに加算して前記電源電圧制御信号を作成し前記電源電圧制御信号を前記電圧可変電源へ出力するまでの時間と、前記信号遅延処理部が前記入力音声信号を遅延させる所定時間に前記アンプ部での遅延時間である外部遅延時間を加えた時間とが等しいことを特徴とする請求項４記載の増幅装置。
【請求項６】
入力音声信号を生成し出力するオーディオ装置と、
前記入力音声信号が入力される請求項１または請求項４記載の増幅装置と、
を有するオーディオ出力装置。
【請求項７】
請求項６記載のオーディオ出力装置と、
前記オーディオ出力装置から出力された前記音声出力が入力されるスピーカと、
を有するオーディオシステム装置。
【請求項８】
前記信号遅延処理部は、前記タイミング信号の入力を受けて、保持していた所定サンプル期間の入力音声信号を出力し、
前記電源電圧制御部は、前記電源電圧制御信号を、前記タイミング信号の出力から外部遅延の分遅らさせて前記電圧可変電源に出力することを特徴とする請求項１または請求項４に記載の増幅装置。
【発明の詳細な説明】
【技術分野】
【０００１】
本発明は、入力された信号の電力を増幅する増幅装置に関するものであり、特に信号の電力増幅段における供給電源の電源電圧制御を行う増幅装置に関するものである。
【背景技術】
【０００２】
従来、増幅装置への入力信号に追従して電力増幅段へ供給される電源電圧値を増減させ、出力信号に重畳するノイズの低減と電源の電力効率の改善とを図るために、電圧可変電源を増幅装置の電源として用いる技術があった。【０００３】
電力増幅段へ供給される電源電圧が入力信号レベルに追従して増減することで、入力信号が小さい信号の場合には、その増幅された信号が歪まない程度の振幅の電圧値まで電力増幅段の電源電圧を低下させることができるため、増幅装置の出力信号に重畳するノイズを低減させ、電源の電力効率を改善することができる。【０００４】
車載用の増幅装置を考慮した場合、増幅装置の設置場所やバッテリーの容量には限りがあるため、小型軽量化、低消費電力化が望まれる。増幅装置の電力効率が高くなれば、無効な電力の放熱に必要なヒートシンクなどの部品を小型化したり、削減したりすることができ、また、増幅装置の消費電力を抑えることができる。それ故、特に車載用の増幅装置にとって、装置の電力効率が高いことは大きなメリットとなる。【０００５】
従来の電圧可変電源としては、入力基準の増幅された絶対値に追従する第１駆動電圧成分を電圧源が供給するよう構成されているものが開示されている（例えば特許文献１参照）。【０００６】
また、デジタルバッファが、事前に決定された時間インターバルを示す入力信号のコピーを格納し、エンベローブプロファイラが、入力信号のバッファされたインターバルを分析し、事前に決定された時間インターバルにわたって、増幅器に適切な供給信号プロファイルを決定するよう構成されている電力増幅器が開示されている（例えば特許文献２参照）。
【先行技術文献】
【特許文献】
【０００７】
【特許文献１】特表２００７−５０８７３１号公報
【特許文献２】特表２００７−５１１１８７号公報
【発明の概要】
【発明が解決しようとする課題】
【０００８】
しかしながら、従来の増幅装置においては、以下の問題点がある。
すなわち、特許文献１に記載のものは、入力信号の絶対値を定数倍した値に対して固定ヘッドルームを加算した値により電源電圧を制御しているが、予め固定ヘッドルームが低く設定された場合、入力信号が急激に変化したときに、電力増幅段の電源電圧が入力信号の変化に追従できず、電力増幅段の出力信号に歪が発生してしまう。また、入力信号の急激な変化を想定して、予め固定ヘッドルームが高く設定された場合、電源の電力効率が悪化してしまうという問題がある。【０００９】
また、特許文献２に記載されているように、電圧可変電源の固定スルーレートをもとに供給電圧信号を生成し、電力増幅段の電源電圧を制御した場合、負荷電流変動によって電圧可変電源のスルーレートが変化したときに、電圧可変電源のスルーレートが低い値へ変化すると、供給電圧信号に対して電圧可変電源の出力電圧が応答しきれず、電力増幅段の出力信号に歪が発生してしまうという問題がある。【００１０】
そこで、本発明は、従来の問題を解決するためになされたもので、入力信号に追従して電源電圧を制御できる増幅装置において、上述の固定ヘッドルームを考慮する必要がなく、なおかつ、電圧可変電源のスルーレートが変化してもそれに応じた制御を可能とすることによって、従来より出力信号の歪を低減することができ、電力効率の悪化を低減することができる増幅装置を提供することを第１の目的とする。【００１１】
あるいは、本発明は、従来の問題を解決するためになされたもので、入力信号に追従して電源電圧を制御できる増幅装置において、電源電圧に加算するヘッドルームを入力信号に追従して変動させることによって、電力効率の悪化を低減することができる増幅装置を提供することを第２の目的とする。
【課題を解決するための手段】
【００１２】
上記第１の目的を達成するために本発明は、自装置に入力された入力音声信号を増幅して音声出力する増幅装置であって、前記入力音声信号を所定時間遅延させて出力する信号遅延処理部と、前記信号遅延処理部から出力された信号を増幅するアンプ部と、前記アンプ部に電源を供給する電圧可変電源と、前記入力音声信号から前記入力音声信号の包絡線を算出する包絡線作成部と、前記包絡線作成部が作成した前記包絡線に基づいて前記電圧可変電源に電源電圧制御信号を出力して前記電圧可変電源の出力電圧を制御する電源電圧制御部とを備え、前記電源電圧制御部は、前記電圧可変電源のスルーレートを記憶し、前記包絡線の傾きが正の場合に、前記電源電圧制御信号の傾きを前記包絡線の傾きまたは前記電圧可変電源のスルーレートのいずれか小さい方に設定して前記電源電圧制御信号を作成する電源電圧制御信号作成処理を行い、前記電源電圧制御信号を前記電圧可変電源へ出力し、前記電源電圧制御部は、前記信号遅延処理部に向けてタイミング信号を出力し、前記信号遅延処理部は、前記タイミング信号に基づき前記遅延処理を行うという構成を有する。
【００１３】
あるいは、上記第２の目的を達成するために本発明は、自装置に入力された入力音声信号を増幅して音声出力する増幅装置であって、前記入力音声信号を所定時間遅延させて出力する信号遅延処理部と、前記信号遅延処理部から出力された信号を増幅するアンプ部と、前記アンプ部に電源を供給する電圧可変電源と、前記入力音声信号から前記入力音声信号の包絡線を算出する包絡線作成部と、前記包絡線作成部が作成した前記包絡線に基づいて前記電圧可変電源に電源電圧制御信号を出力して前記電圧可変電源の出力電圧を制御する電源電圧制御部とを備え、前記電源電圧制御部は、前記包絡線の信号レベルに応じてヘッドルームを設定し、設定したヘッドルームを前記包絡線の信号レベルに加算して前記電源電圧制御信号を作成し、前記電源電圧制御信号を前記電圧可変電源へ出力し、前記電源電圧制御部は、前記信号遅延処理部に向けてタイミング信号を出力し、前記信号遅延処理部は、前記タイミング信号に基づき前記遅延処理を行うという構成を有する。
【発明の効果】
【００１４】
本発明によれば、電圧可変電源から電力増幅段へ供給する電源電圧に設ける固定ヘッドルームを考慮する必要がなく、また、負荷電流変動などによって電圧可変電源のスルーレートが変化した場合でも入力信号に対して確実に追従した電源電圧の制御ができるため、出力信号に重畳するノイズを低減させ、従来よりも出力信号の歪を低減することができ、電力効率を向上させることができる増幅装置を提供することができる。【００１５】
あるいは、本発明によれば、入力音声信号の振幅が０付近の状態から急激に振幅が大きくなった場合でも増幅装置から出力される音声信号が歪むことがなく、かつ、入力音声信号が大きくなればなるほど、電源電圧に加算するヘッドルームを従来よりも低減させることができるため、出力信号に重畳するノイズを低減させ、電力効率を向上させることができる増幅装置を提供することができる。
【図面の簡単な説明】
【００１６】
【図１】本発明の実施の形態１における信号追従電源増幅装置のブロック図
【図２】本発明の実施の形態１における信号遅延処理部１３のフローチャート
【図３】本発明の実施の形態1における簡易包絡線作成部１０のフローチャート
【図４】本発明の実施の形態１における簡易包絡線の例を示す図
【図５】本発明の実施の形態１における傾き比較処理部１１２のフローチャート
【図６】本発明の実施の形態１における簡易包絡線のドット間の傾きとドット間遅延時間の例を示す図
【図７】本発明の実施の形態１における総和遅延時間計算部１１３のフローチャート
【図８】本発明の実施の形態１における電圧制御信号作成部１１４のフローチャート
【図９】本発明の実施の形態１における電圧制御信号の例を示す図
【図１０】本発明の実施の形態２における信号追従電源増幅装置のブロック図
【図１１】本発明の実施の形態２におけるヘッドルーム算出処理部２１２のフローチャート
【図１２】本発明の実施の形態２における電圧制御信号作成部２１３のフローチャート
【図１３】本発明の実施の形態２における電圧制御信号の例を示す図
【発明を実施するための最良の形態】
【００１７】
（実施の形態１）
以下、本発明の実施の形態における増幅装置について図面を参照しながら説明する。【００１８】
図１は本発明の実施の形態における増幅装置の各機能を示すブロック図である。【００１９】
図１において、増幅装置１はラインレベル程度のレベルの音声信号が出力されるオーディオ装置２に接続される。【００２０】
オーディオ装置２から出力された音声信号は、増幅装置１の入力音声信号として入力され、増幅装置１にて電力増幅されてスピーカ３へ出力される。スピーカ３は、増幅装置１から供給された、電力増幅後の入力音声信号を音声に変換して放音する。【００２１】
また、増幅装置１とオーディオ装置２は、それらを動作させるのに必要な電力を供給する直流電源４に接続されている。ただし、各装置を動作させるのに必要な電源は直流電源に限定されることは無く、各装置の特性に合わせて適宜交流電源を用いてもよい。
なお、オーディオ装置２と増幅装置１とを合わせてオーディオ出力装置、またオーディオ出力装置とスピーカ３とを合わせてオーディオシステム装置とする。【００２２】
増幅装置１は、包絡線作成部としての簡易包絡線作成部１０、電源電圧制御部１１、電圧可変電源１２、信号遅延処理部１３、電力増幅段であるアンプ部１４を含む構成としている。【００２３】
オーディオ装置２から増幅装置１へ音声信号が入力されると、入力音声信号は信号遅延処理部１３に入力される。【００２４】
信号遅延処理部１３は、増幅装置１に入力された入力音声信号を所定サンプリング期間毎に所定時間のあいだ保持するとともに、簡易包絡線作成部１０に所定サンプリング期間の入力音声信号を送出する。【００２５】
また、信号遅延処理部１３は、詳細を後述する電源電圧制御部１１から、所定の制御信号であるタイミング信号が入力されたタイミングで、信号遅延処理部１３に保持していた所定サンプリング期間の入力音声信号をアンプ部１４へ送出する。すなわち、入力音声信号が信号遅延処理部１３に入力されてからタイミング信号が入力されるまでの時間が、上述した所定時間に該当する。【００２６】
簡易包絡線作成部１０は、信号遅延処理部１３から入力された所定サンプリング期間の入力音声信号から、後述する簡易包絡線を作成して、作成した簡易包絡線を示す情報（簡易包絡線情報）を電源電圧制御部１１へ送出する。【００２７】
電源電圧制御部１１は、簡易包絡線作成部１０から入力された簡易包絡線情報に基づいて電圧制御信号を作成し、電圧可変電源１２の出力電圧を制御する。【００２８】
電圧可変電源１２は、電源電圧制御部１１から入力された電圧制御信号によって、任意の電圧値に出力電圧を可変する電源であり、電圧制御信号に応じた出力電圧値の電力（電源）をアンプ部１４へ供給する。【００２９】
アンプ部１４は、Ｄ級アンプであり、信号遅延処理部１３から入力された所定サンプリング期間の入力音声信号を、電圧可変電源１２から供給される電力を用いて増幅度Ａで増幅し、増幅装置１に接続されたスピーカ３へ出力する。【００３０】
ここで、電源電圧制御部１１は、デジタルシグナルプロセッサやマイクロコントローラなどによって実現されうる。また、簡易包絡線作成部１０、信号遅延処理部１３についても、デジタルシグナルプロセッサやマイクロコントローラなどによって実現されうる。【００３１】
したがって、電源電圧制御部１１と包絡線作成部１０と信号遅延処理部１３とは、少なくとも２つ以上が１つのデジタルシグナルプロセッサやマイクロコントローラなどによって実現されても良い。【００３２】
以上のように構成された増幅装置１について、その詳細な動作を説明する。【００３３】
オーディオ装置２から増幅装置１へ音声信号が入力されると、入力音声信号は信号遅延処理部１３に入力される。【００３４】
信号遅延処理部１３の処理を図２のフローチャートを参照しながら説明する。
信号遅延処理部１３は、入力された入力音声信号を、所定サンプリング期間毎にバッファ回路に所定時間保持すると共に複写して、複写した所定サンプリング期間の入力音声信号を簡易包絡線作成部１０へ送出する（ステップＳ２０１）。【００３５】
所定サンプリング期間とは、例えば周波数４４．１ｋＨｚでサンプリングされたデジタル音声信号のＮ個分で定義される期間である。ただし、Ｎは整数である。【００３６】
また、信号遅延処理部１３は、電源電圧制御部１１からタイミング信号（詳細後述）が入力されると、保持していた所定サンプリング期間の入力音声信号をアンプ部１４へ送出する（ステップＳ２０２）。【００３７】
これ以降、入力音声信号の２つの経路と、２つの経路の信号のタイミングを調整する処理、の順に説明する。１つ目の信号の経路は、順に信号遅延処理部１３、アンプ部１４、スピーカ３である。２つ目の信号の経路は、順に信号遅延処理部１３、簡易包絡線作成部１０、電源電圧制御部１１、電圧可変電源１２である。【００３８】
先ず、１つ目の信号の経路について、図１のブロック図を参照しながら説明する。
信号遅延処理部１３から入力された所定サンプリング期間の入力音声信号は、アンプ部１４へ入力される。【００３９】
アンプ部１４は、ＰＷＭ変換部１４１、ゲートドライバ１４２、ハーフブリッジ回路１４３、ローパスフィルタ１４４で構成されている。【００４０】
ＰＷＭ変換部１４１では、入力された所定サンプリング期間の入力音声信号をＰＷＭ信号に変換して出力している。ＰＷＭ変換の方式としては、ΔΣ変換方式、三角波比較方式などが知られており、本実施の形態においてもこれらの方式のうち、いずれかの方式が適用される。【００４１】
ＰＷＭ変換部１４１から出力されたＰＷＭ信号が、ゲートドライバ１４２に入力される。【００４２】
ゲートドライバ１４２は、入力されたＰＷＭ信号にデッドタイムを挿入すると共に、ハーフブリッジ回路１４３のハイサイドとローサイドの高速スイッチング素子１４３ａと１４３ｂを駆動できる程度にＰＷＭ信号の電位をシフトしたドライブ信号を作成して、ハーフブリッジ回路１４３へ送出する。【００４３】
ハーフブリッジ回路１４３は、高電位電源側に配されて電圧可変電源１２から正側電圧を供給されるハイサイド高速スイッチング素子１４３ａと、低電位電源（またはグラウンド）側に配されて電圧可変電源１２から負側電圧を供給されるローサイド高速スイッチング素子１４３ｂとで構成される。【００４４】
ハーフブリッジ回路１４３は、ゲートドライバ１４２から入力されたドライブ信号に従って、正側電圧値と負側電圧値とで決定される電圧振幅によるスイッチング動作を行い、出力ＰＷＭ信号を作成する。高速スイッチング素子としては、例えば、ＭＯＳ電界効果トランジスタ等が用いられる。【００４５】
ハーフブリッジ回路１４３のスイッチング動作により作成された出力ＰＷＭ信号は、ローパスフィルタ１４４においてフィルタをかけられることで、出力ＰＷＭ信号からアナログ音声信号に変換されてスピーカ３へ出力される。【００４６】
次に、２つ目の信号の経路について説明する。２つ目の信号の経路では、信号遅延処理部１３から簡易包絡線作成部１０へ入力音声信号が入力されると、簡易包絡線作成部１０では以下の処理が行われる。【００４７】
簡易包絡線作成部１０における処理動作について、図３のフローチャートを参照しながら説明する。【００４８】
簡易包絡線作成部１０は、信号遅延処理部１３から入力された所定サンプリング期間の入力音声信号に対して簡易包絡線を作成する。包絡線の作成手法は、最大値保持法やＬＰＦによる帯域制限法など、既にいくつかの手法が開示されているが、ここでは簡易的な手法により作成する簡易包絡線を例として提示し説明する。【００４９】
また、以下の簡易包絡線作成部１０の処理の説明において、ｘ、Ｎ、ｎを整数として扱い、ｘを時刻として扱う。さらに、入力音声信号の各デジタル信号を時刻ｘのデータｆ（ｘ）とし、作成された簡易包絡線の各デジタル信号を時刻ｘのデータｇ（ｘ）とし、連続するＮ点のデータで構成される所定サンプリング期間を１フレームとして各フレームを入力順からｎ番目のフレームとして処理していくこととして説明する。【００５０】
簡易包絡線作成部１０は、入力された所定サンプリング期間の入力音声信号に対して、ｎフレーム目の処理におけるｘが（ｎ−１）Ｎ＜ｘ≦ｎＮであるか否かを判断し（ステップＳ３０１）、ｘが（ｎ−１）Ｎ＜ｘ≦ｎＮである場合は、入力音声信号ｆ（ｘ）の絶対値｜ｆ（ｘ）｜が算出される（ステップＳ３０２）。【００５１】
すると、算出された｜ｆ（ｘ）｜と、その直前の値｜ｆ（ｘ−１）｜に係数ａを掛け合わせた値とが比較され（ステップＳ３０３）、大きいほうの値を簡易包絡線ｇ（ｘ）とする（ステップＳ３０４、Ｓ３０５）。そしてｘを更新する（ステップＳ３０６）。【００５２】
ここで、係数ａは簡易包絡線ｇ（ｘ）の立ち下がりの傾斜を決定するための値であり、電圧可変電源１２において最も負荷電流が小さい場合の出力電圧の立ち下がりのスルーレートから決定される。【００５３】
ステップＳ３０３、Ｓ３０４、Ｓ３０５の操作によって、入力音声信号ｆ（ｘ）の立ち上がりにおいては常に｜ｆ（ｘ）｜が選択されるため、簡易包絡線ｇ（ｘ）は入力音声信号ｆ（ｘ）に沿って立ち上がる。【００５４】
また、入力音声信号ｆ（ｘ）の立ち下がりにおいては、入力音声信号ｆ（ｘ）の立ち下がりの傾きが係数ａよりも大きい場合には簡易包絡線ｇ（ｘ）は係数ａに従って立ち下がり、入力音声信号ｆ（ｘ）の立ち下がりの傾きが係数ａよりも小さい場合には簡易包絡線ｇ（ｘ）は入力音声信号ｆ（ｘ）に沿って立ち下がることになる。【００５５】
ここで、作成した簡易包絡線の一例を、図４に示す。また、離散したデジタル信号の連続集合で表される波形を、図４については、便宜的に離散したデジタル信号を結んだアナログ波形として図示している。【００５６】
上述のように、入力された所定サンプリング期間の入力音声信号を処理することで、簡易包絡線作成部１０は、図４に示される簡易包絡線ｇ（ｘ）に示されるような、立ち上がりが｜ｆ（ｘ）｜に沿って立ち上がり、立ち下がりが係数ａに従って立ち下がる波形を形成するデジタル信号を得ることができる。【００５７】
また、簡易包絡線は、図６に示すとおり離散したデジタル信号の連続集合で構成されている。この各デジタル信号をドットと定義する。ドット間の傾きとは、連続した２つのドットの電圧値（縦軸）
と簡易包絡線を算出する際に用いたドット間の周期の逆数から算
出される時間値（横軸)から、「電圧値／時間値」  の式で算出される。【００５８】
簡易包絡線作成部１０で作成された簡易包絡線ｇ（ｘ）を形成するデジタル信号（簡易包絡線情報）は、電源電圧制御部１１へ送出される。【００５９】
電源電圧制御部１１は、簡易包絡線作成部１０から入力された簡易包絡線情報から以下に説明するように電圧制御信号を作成して、電圧可変電源１２へ作成した電圧制御信号を送出する。【００６０】
図１に示すように、電源電圧制御部１１は、傾き比較処理部１１２、総和遅延時間計算部１１３、電圧制御信号作成部１１４で構成されており、簡易包絡線作成部１０から入力された簡易包絡線は、先ず、傾き比較処理部１１２に入力される。【００６１】
傾き比較処理部１１２の処理を図５のフローチャートを参照しながら説明する。
傾き比較処理部１１２は、先ず、入力された簡易包絡線を形成する各デジタル信号で定義されるドットのドット間の傾きを計算する（ステップＳ５０１）。【００６２】
ドット間の傾きは、前後のドットの電圧軸と時間軸上の座標値から求める。ここで、算出した傾きが正でなければ、算出した傾きを電圧制御信号作成部１１４へ送出する（ステップＳ５０２、ステップ５０６、ステップ５０８）。【００６３】
算出した傾きが正であれば、ドット間の電圧軸の差分値と高位ドットの電圧値の時に負荷に流れる電流値に対応した、電圧可変電源１２のスルーレートをデータテーブルから選択する（ステップＳ５０３）。【００６４】
ここで、データテーブルは、ドット間電圧差分値と、高位ドット電圧値の時の負荷電流値と、この２つの値に対応する電圧可変電源１２のスルーレートによって構成され、予め傾き比較処理部１１２に格納しておく。次に、簡易包絡線から算出した傾きと選択した電圧可変電源１２のスルーレートとが比較される（ステップＳ５０４）。【００６５】
スルーレートの方が小さくない場合には、算出した傾きが選択され、この値が電圧制御信号作成部１１４へ送出される（ステップＳ５０６、ステップ５０８）。【００６６】
スルーレートの方が小さい場合には、スルーレートが選択されて（ステップＳ５０５）、算出した傾きとスルーレートとの時間軸方向の差分値であるドット間遅延時間を算出してこの情報を総和遅延時間計算部１１３へ送出し（ステップＳ５０７）、スルーレートを電圧制御信号作成部１１４へ送出する（ステップＳ５０８）。【００６７】
ここで、ドット間遅延時間は、次の手順で算出される（図６参照）。先ず、２つのドットの電圧軸差分値と高位ドットの電圧値の時の負荷電流値に対応した、電圧可変電源１２のスルーレートをデータテーブルから選択する。【００６８】
次に、２つのドットの低位ドットを基準として高位ドットまで電圧値が進んだ時の、簡易包絡線のドット間の傾きと電圧可変電源１２のスルーレートとの、時間軸方向の進みにおける差分を算出する。本実施の形態においては、この差分をドット間遅延時間と定義する。【００６９】
簡易包絡線のドット間の傾きが、選択された電圧可変電源１２のスルーレートと比較して大きい場合に、このドット間遅延時間が発生する。【００７０】
例えば、図６に示すような、簡易包絡線ｇ（ｘ）の電圧値が低いほうから順に電圧値ｄ、電圧値ｃ、電圧値ａ、電圧値ｂのドットを考慮した場合、以下のようにドット間遅延時間が求められる。【００７１】
すなわち、電圧値ｄおよび電圧値ｃのドット間電圧差（電圧値ｃ−電圧値ｄ）と高位ドットの電圧値（この場合は電圧値ｃが高位ドットの電圧値となる）を負荷に対して印加したときの負荷電流に対応するスルーレートＳｃをデータテーブルから選択し、選択したスルーレートＳｃと電圧値ｄおよび電圧値ｃのドット間の傾きＧｃとを比較する。この場合、選択したスルーレートＳｃのほうが大きいため、ドット間遅延時間は発生しない。【００７２】
また、電圧値ｃおよび電圧値ａのドット間電圧差（電圧値ａ−電圧値ｃ）と高位ドットの電圧値（この場合は電圧値ａが高位ドットの電圧値となる）を負荷に対して印加したときの負荷電流に対応するスルーレートＳａをデータテーブルから選択し、選択したスルーレートＳａと電圧値ｃおよび電圧値ａのドット間の傾きＧａとを比較する。この場合、選択したスルーレートＳａのほうが小さいため、ドット間遅延時間Ｔ１が発生する。【００７３】
同様に電圧値ａおよび電圧値ｂのドット間電圧差（電圧値ｂ−電圧値ａ）と高位ドットの電圧値（この場合は電圧値ｂが高位ドットの電圧値となる）を負荷に対して印加したときの負荷電流に対応するスルーレートＳｂをデータテーブルから選択し、選択したスルーレートＳｂと電圧値ａおよび電圧値ｂのドット間の傾きＧｂとを比較する。この場合も、選択したスルーレートＳｂのほうが小さいため、ドット間遅延時間Ｔ２が発生する。【００７４】
所定サンプリング期間における総和遅延時間は、このドット間遅延時間の総和となる。図６においては、電圧値ｃおよび電圧値ａのドット間、電圧値ａおよび電圧値ｂのドット間のみに遅延時間が発生した場合であり、「Ｔ１+Ｔ２」が総和遅延時間として算出され
る。【００７５】
上記の傾き比較処理部１１２の処理は、所定サンプリング期間内の入力音声信号の各ドットに対して行われる。【００７６】
ドット間遅延時間の情報が入力された総和遅延時間計算部１１３は、以下の処理を行う。【００７７】
総和遅延時間計算部１１３の処理について図７のフローチャートを参照しながら説明する。【００７８】
総和遅延時間計算部１１３は、傾き比較処理部１１２から入力されたドット間遅延時間を保持しておき、所定サンプリング期間における各ドット間遅延時間の総和を計算する（ステップＳ７０１）。そして、算出した総和遅延時間を電圧制御信号作成部１１４へ送出する（ステップＳ７０２）。【００７９】
また、傾き比較処理部１１２からドット間の傾きやスルーレートを受信した電圧制御信号作成部１１４では、以下の処理が行われる。【００８０】
電圧制御信号作成部１１４の処理について図８のフローチャートを参照しながら説明する。【００８１】
電圧制御信号作成部１１４は、傾き比較処理部１１２から入力されたドット間の傾き、又は、電圧可変電源１２のスルーレートを基にして、無遅延電圧制御信号を作成する（ステップＳ８０１）。【００８２】
次に、無遅延電圧制御信号の開始点から総和遅延時間計算部１１３から入力された総和遅延時間分の無遅延電圧制御信号を削除して、電圧制御信号を作成する（ステップＳ８０２）。【００８３】
そして、信号遅延処理部１３へタイミング信号を送出し、タイミング信号の送出から外部遅延時間分を遅らせて、電圧制御信号を電圧可変電源１２へ送出する（ステップＳ８０３）。外部遅延時間とは、ＰＷＭ変換器１４１とゲートドライバ１４２によって生じる遅れ時間の幅である。【００８４】
ここで、電圧制御信号作成部１１４で作成された電圧制御信号の例を図９を参照しながら説明する。また、離散したデジタル信号の連続集合で表される波形を、図９については、便宜的に離散したデジタル信号を結んだアナログ波形として図示する。【００８５】
電圧制御信号作成部１１４は、電圧制御信号を次の手順で作成する。先ず、入力された簡易包絡線のドット間の傾き、又は電圧可変電源１２のスルーレートを、連続的に接続処理して無遅延電圧制御信号を作成する。【００８６】
無遅延電圧制御信号は、図中においては、電圧制御信号と電圧制御信号の開始点の前に接続されている総和遅延時間「Ｔ１+Ｔ２」分を合わせた波形で示された信号となる。次に、無遅延電圧制御信号の開始点から総和遅延時間「Ｔ１+Ｔ２」分の無遅延電圧制御信号を削除する。この様にして図中に示されるように、所定サンプリング期間と同じ期間となる電圧制御信号が作成される。【００８７】
電圧可変電源１２では、電圧制御信号作成部１１４からの電圧制御信号の値を電圧目標値として正側電源電圧と負側電源電圧を出力する。【００８８】
正側電源電圧はアンプ部１４内にあるハーフブリッジ回路１４３の高電位電源側に配されるハイサイド高速スイッチング素子１４３ａへ供給される。【００８９】
負側電源電圧はアンプ部１４内にあるハーフブリッジ回路１４３の低電位電源側に配されるローサイド高速スイッチング素子１４３ｂへ供給される。【００９０】
次に、２つの信号の経路のタイミングを調整する処理について、図1のブロック図を参照しながら説明する。【００９１】
信号遅延処理部１３は、簡易包絡線作成部１０に入力音声信号を送出してから、電圧制御信号作成部１１４からタイミング信号が入力されるまでの間、入力音声信号を保持することで、アンプ部１４への入力音声信号の送出を遅延させる。【００９２】
また、電圧制御信号作成部１１４が電圧制御信号を送出する際には、ＰＷＭ変換部１４１とゲートドライバ１４２における遅延時間の和である外部遅延時間分をタイミング信号の送出から遅延させる。【００９３】
すなわち、この信号遅延処理部１３の遅延処理と電圧制御信号作成部１１４の電圧制御信号送出の際に行う遅延処理は、入力音声信号がアンプ部１４内で処理されてハーフブリッジ回路１４３へ到達するまでの時間と、入力音声信号が電源電圧制御部１１で処理されて電圧可変電源１２からハーフブリッジ回路１４３へ電力が供給されるまでの時間とのタイミング調整として作用する。【００９４】
このように、増幅装置１の外部から入力された音声信号（入力音声信号）がアンプ部１４に入力されるタイミングが調整されるため、入力音声信号のレベルの変化に対して適切に追従させた増幅装置１の電源電圧の制御が行われる。【００９５】
以上述べたとおり、本発明は、電圧可変電源１２を制御するために、入力音声信号の簡易包絡線から電圧制御信号を作成する電源電圧制御部１１を備え、電源電圧制御部１１は、電圧制御信号の作成に必要な傾きを算出する傾き比較処理部１１２と、傾き比較処理により生じるドット間遅延時間の総和を算出する総和遅延時間計算部１１３と、電圧可変電源１２を制御する電圧制御信号が成す波形を選択された傾き又はスルーレートと遅延時間の総和を反映した波形となるように電圧制御信号を作成する電圧制御信号作成部１１４により構成され、入力音声信号がアンプ部１４で増幅されるタイミングに調整したうえで、電圧制御信号を電圧可変電源１２へ出力するものである。【００９６】
これにより、電圧可変電源１２の負荷電流に対応したスルーレートと、入力音声信号の簡易包絡線のドット間の傾きとを比較して、選択した傾き又はスルーレートと総和遅延時間を前述したように電圧制御信号に反映させることで、電圧可変電源１２の負荷電流が変化しても、その負荷電流に合わせたスルーレートに対応させることができ、電圧制御信号により制御された電圧可変電源１２の出力電圧をアンプ部１４に供給することで、アンプ部１４において音声信号が歪まず、かつ電力効率を高く保つことができる。【００９７】
（実施の形態２）
以下、本発明の実施の形態２における増幅装置について図面を参照しながら説明する。【００９８】
図１０は本発明の実施の形態２における増幅装置の各機能を示すブロック図である。
本実施の形態においては、実施の形態１の電源電圧制御部１１に代えて、電源電圧制御部２１を有している。また、電源電圧制御部２１は、ヘッドルーム算出処理部２１２および電圧制御信号作成部２１３を有している。その他の構成は、実施の形態１と同じであるので、その構成、および動作の説明は省略する。以下、本実施の形態の特徴を踏まえ、本実施の形態の構成、および動作について説明する。【００９９】
本発明の実施の形態２における増幅装置１は、増幅装置１に入力された入力音声信号のレベル（包絡線の信号レベル）の増減に対応して電圧可変電源１２がアンプ部１４へ印加（供給）する電源電圧の値を増減させる（入力音声信号が相対的に低い場合は電源電圧を低くし、入力音声信号が相対的に高い場合は電源電圧を高く設定して印加する）ものである。【０１００】
ただし、以下に説明する「ヘッドルーム」が考慮されないと、増幅装置１から出力する音声信号の振幅が電圧可変電源１２が供給する電圧値よりも大きくなってしまい、増幅装置１から出力する音声信号が歪んでしまう可能性がある。【０１０１】
また、電圧可変電源１２から出力される電源電圧が、電圧可変電源１２へ入力された電圧制御信号に対してどの程度追従することが可能かは、電圧可変電源１２の能力（電圧可変電源のスルーレート、出力可能な最小電圧など）で決定される。【０１０２】
以上のことを踏まえて、電圧可変電源１２から出力される電源電圧は、増幅装置１から出力される音声信号振幅に対して余裕を持っておく必要がある。以下に置いては、この余裕度をヘッドルームと称して説明を行う。【０１０３】
図１１に示すように、電源電圧制御部２１は、ヘッドルーム算出処理部２１２、電圧制御信号作成部２１３で構成されており、簡易包絡線作成部１０から入力された簡易包絡線情報は、ヘッドルーム算出処理部２１２と電圧制御信号作成部２１３とに入力される。【０１０４】
ヘッドルーム算出処理部２１２の処理を、図１１のフローチャートを参照しながら説明する。【０１０５】
ヘッドルーム算出処理部２１２では、簡易包絡線作成部１０から入力された各時刻ｘにおける簡易包絡線ｇ（ｘ）と、簡易包絡線ｇ（ｘ）が取りうる最大値ｇｍａｘと、ヘッドルームの最大値Ｈとから、ヘッドルームｈ（ｘ）をｈ（ｘ）＝Ｈ×（１−ｇ（ｘ）／ｇｍａｘ）として算出する（ステップＳ１１０１）。【０１０６】
本実施の形態において、包絡線の信号レベルに応じてヘッドルームを算出する処理とは、前記の式に従ってヘッドルームｈ（ｘ）を算出する処理を指す。
ここで、簡易包絡線が取りうる最大値ｇｍａｘは、電圧可変電源１２が出力する最大の電圧値をＶｍａｘとした場合、増幅装置１から出力される出力音声信号がＶｍａｘ以上の電圧値にならないように制御されることと、アンプ部１４の増幅度Ａとから以下に示す算出式に従ってあらかじめ決定される値であり、ｇｍａｘ＝Ｖｍａｘ／Ａで表される。【０１０７】
また、ヘッドルームの最大値Ｈは、電圧可変電源１２が出力可能な最小の電圧値Ｖｍｉｎから、Ｈ＝Ｖｍｉｎ／Ａで表される。【０１０８】
ヘッドルーム算出処理部２１２は、算出したヘッドルームｈ（ｘ）を電圧制御信号作成部２１３へ送出する（ステップ１１０２）。【０１０９】
次に、電圧制御信号作成部２１３の処理について図１２のフローチャートを参照しながら説明する。【０１１０】
電圧制御信号作成部２１３は、簡易包絡線作成部１０から入力された簡易包絡線ｇ（ｘ）とヘッドルーム算出処理部２１２から入力されたヘッドルームｈ（ｘ）とを加算した値を電圧制御信号ｋ（ｘ）として作成する（ステップＳ１２０１）。【０１１１】
そして、信号遅延処理部１３へタイミング信号を送出し、タイミング信号の送出から外部遅延時間分を遅らせて、電圧制御信号ｋ（ｘ）を電圧可変電源１２へ送出する（ステップＳ１２０２）。外部遅延時間とは、ＰＷＭ変換器１４１とゲートドライバ１４２によって生じる遅れ時間の幅である。【０１１２】
ここで、電圧制御信号作成部２１３で作成された電圧制御信号の例を図１３を参照しながら説明する。また、離散したデジタル信号の連続集合で表される波形を、図１３については、便宜的に離散したデジタル信号を結んだアナログ波形として図示する。【０１１３】
図１３に示したように、入力音声信号ｆ（ｘ）に対して、簡易包絡線ｇ（ｘ）は立ち上がりは入力音声信号ｆ（ｘ）に沿って立ち上がり、立ち下がりは係数ａに従って立ち下がることとなる。【０１１４】
電圧制御信号ｋ（ｘ）はこの簡易包絡線ｇ（ｘ）にさらにヘッドルームｈ（ｘ）が加算されており、前述したヘッドルームｈ（ｘ）を示す式からわかるとおり、例えば簡易包絡線ｇ（ｘ）が０の場合にはヘッドルームｈ（ｘ）は最大値Ｈを取り、簡易包絡線ｇ（ｘ）が０．３×ｇｍａｘの場合にはヘッドルームｈ（ｘ）は０．７×Ｈとなる。【０１１５】
したがって、図１３に示すように入力音声信号のレベルが０の場合にはヘッドルームｈ（ｘ）はＨとなり、入力音声信号のレベルが０よりも大きくなるほど、ヘッドルームｈ（ｘ）がＨから小さくなっていくような波形となる。【０１１６】
なお、上述の説明においては、包絡線の信号レベルに応じたヘッドルームを設定する際に、包絡線の信号レベルを用いた算出結果からヘッドルームを設定するようにしたが、包絡線の信号レベルに対応するヘッドルームの大きさ（値または値を示す情報）を予めデータテーブルとして記憶させておき、包絡線の信号レベルを検出した際にこのデータテーブルから「検出した包絡線の信号レベル」に対応したヘッドルームの大きさを読み出してヘッドルームを設定するように制御しても良い。【０１１７】
以上述べたとおり、本発明は、電圧可変電源１２を制御するために、入力音声信号の簡易包絡線から電圧制御信号を作成する電源電圧制御部２１を備え、電源電圧制御部２１は、電圧制御信号の作成に必要なヘッドルームを算出するヘッドルーム算出処理部２１２と、電圧可変電源１２を制御する電圧制御信号を作成する電圧制御信号作成部２１３により構成され、電圧制御信号作成部２１３がヘッドルーム算出処理部２１２で簡易包絡線の信号レベルに応じて算出されたヘッドルームを簡易包絡線に加算する処理を行い、入力音声信号がアンプ部１４で増幅されるタイミングに調整したうえで、電圧制御信号を電圧可変電源１２へ出力するものである。【０１１８】
これにより、入力音声信号に追従してヘッドルームを変動させることで、入力音声信号の振幅が０付近の状態から急激に振幅が大きくなった場合には、電圧制御信号ｋ（ｘ）は入力音声信号に対してヘッドルームの最大値であるＨ程度の余裕があるので、電圧可変電源１２からアンプ部１４へ供給される電圧値がアンプ部１４から出力される音声信号の振幅を下回ること無く、なおかつ入力音声信号の振幅が０より大きくなればなるほど、電源電圧に加算するヘッドルームを従来よりも低減させることができるため、電圧制御信号により制御された電圧可変電源１２の出力電圧をアンプ部１４に供給することで、アンプ部１４において音声信号が歪まず、かつ電力効率を高く保つことができる。
【産業上の利用可能性】
【０１１９】
以上のように、本発明にかかる増幅装置は、電力増幅段の電源電圧に設けるヘッドルームを考慮する必要がなく、負荷電流変動によって電源の立ち上がり／立ち下がりのスルーレートが変化した場合でも、入力信号に対して確実に追従した電源電圧の制御ができるため、従来よりも出力信号の歪を低減することができ、増幅装置の電力効率を向上させることができるという効果を有し、入力された信号の電力を増幅する増幅装置に関するものであり、特に信号の電力増幅段における供給電源の電源電圧制御を行う増幅装置等として有用である。【０１２０】
また、以上のように、本発明にかかる増幅装置は、入力音声信号に追従してヘッドルームを変動させることで、入力音声信号の振幅が０付近の状態から急激に振幅が大きくなった場合でも増幅装置から出力される音声信号が歪むことがなく、なおかつ入力音声信号の振幅が大きくなればなるほど、電源電圧に加算するヘッドルームを従来よりも低減させることができ、増幅装置の電力効率を向上させることができるという効果を有し、入力された信号の電力を増幅する増幅装置に関するものであり、特に信号の電力増幅段における供給電源の電源電圧制御を行う増幅装置等として有用である。
【符号の説明】
【０１２１】
１  増幅装置
２  オーディオ装置
３  スピーカ
４  直流電源
１０  簡易包絡線作成部
１１  ２１  電源電圧制御部
１２  電圧可変電源
１３  信号遅延処理部
１４  アンプ部
１１２  傾き比較処理部
１１３  総和遅延時間計算部
１１４  ２２３  電圧制御信号作成部
２１２  ヘッドルーム算出処理部
１４１  ＰＷＭ変換部
１４２  ゲートドライバ
１４３  ハーフブリッジ回路
１４４  ローパスフィルタ
【図１】
0005914842.tif 000002
【図２】
0005914842.tif 000003
【図３】
0005914842.tif 000004
【図４】
0005914842.tif 000005
【図５】
0005914842.tif 000006
【図６】
0005914842.tif 000007
【図７】
0005914842.tif 000008
【図８】
0005914842.tif 000009
【図９】
0005914842.tif 000010
【図１０】
0005914842.tif 000011
【図１１】
0005914842.tif 000012
【図１２】
0005914842.tif 000013
【図１３】
0005914842.tif 000014